(57)【特許請求の範囲】
【請求項１】
印刷を行う印刷装置と、印刷物に対して後処理を実行する後処理装置とを有する文書処理システムにおいて、
前記印刷物を前記後処理装置へ給紙する給紙方向を設定する設定手段と、
前記印刷物の先頭用紙のプレビュー画像を生成する生成手段と、
前記生成手段により生成されたプレビュー画像を前記設定手段により設定された給紙方向に応じて回転する回転手段と、
前記回転手段により回転された前記プレビュー画像を前記後処理装置へ送信する送信手段と
を有することを特徴とする文書処理システム。
【請求項２】
印刷を行う印刷装置と、印刷物に対して後処理を実行する後処理装置とを有する文書処理システムにおける文書処理方法において、
前記印刷物を前記後処理装置へ給紙する給紙方向を設定する設定工程と、
前記印刷物の先頭用紙のプレビュー画像を生成する生成工程と、
前記生成工程により生成されたプレビュー画像を前記設定工程により設定された給紙方向に応じて回転する回転工程と、
前記回転工程により回転された前記プレビュー画像を前記後処理装置へ送信する送信工程と
を有することを特徴とする文書処理方法。
【請求項３】
印刷を行う印刷装置と、印刷物に対して後処理を実行する後処理装置とを有する文書処理システムにおける文書処理方法をコンピュータに実行させるためのコンピュータプログラムにおいて、
前記印刷物を前記後処理装置へ給紙する給紙方向を設定する設定工程と、
前記印刷物の先頭用紙のプレビュー画像を生成する生成工程と、
前記生成工程により生成されたプレビュー画像を前記設定工程により設定された給紙方向に応じて回転する回転工程と、
前記回転工程により回転された前記プレビュー画像を前記後処理装置へ送信する送信工程と
を有することを特徴とする文書処理方法をコンピュータに実行させるためのコンピュータプログラム。
【発明の詳細な説明】
【技術分野】
【０００１】
本発明は、印刷を行う印刷装置と、印刷物に対して後処理を実行する後処理装置とを有する文書処理システムに関する。
【背景技術】
【０００２】
注文に応じて印刷物を作成し、顧客に納品することで報酬を得る商業的印刷業界では、オフセット製版印刷機などの大規模な印刷装置等を用いた印刷が主流である。
【０００３】
一方で、最近、電子写真方式の印刷装置の高速化、高画質化に伴い、プリント・オン・ディマンド（Ｐｒｉｎｔ  Ｏｎ  Ｄｅｍａｎｄ：以下、ＰＯＤと表記する。）と呼ばれる印刷装置で扱うジョブより比較的小ロットのジョブを取り扱う市場がある。
【０００４】
ＰＯＤ市場では従来の大規模な印刷機またはシステムに代わって、ディジタル複写機やディジタル複合機等のディジタル画像処理装置を最大限に活用して、電子データを用いたディジタルプリントを採用している。この場合、画像データやＰＤＦ（Ｐｏｒｔａｂｌｅ  Ｄｏｃｕｍｅｎｔ  Ｆｏｒｍａｔ）等のベクタフォーマットの原稿を入力し、印刷向けにレイアウトする面付けアプリケーションを使用していることが多い。このようなＰＯＤ市場では、従来の印刷業界に比べてディジタル化が進み、コンピュータを利用した管理、制御が浸透してきている。
【０００５】
また、印刷物の後処理（フィニッシング処理）を行う後処理装置（フィニッシャ）として、印刷装置やその制御装置であるコンピュータと通信を介して接続されたニアラインフィニッシャが実用化されている。ニアラインフィニッシャは印刷装置と独立した装置であるために、機能の拡張性や代替性に優れている。また、ＪＤＦのような電子化されたジョブチケットを通信を介して受信し、そのジョブチケットに記述された処理を実行できるために、処理の自動化にも貢献している。
【０００６】
処理の内容はジョブチケットによってフィニッシャに送信しているため自動化が図られているが、プリンタで出力した印刷物をフィニッシャにセットする作業は手作業で行う必要がある。たとえばフィニッシャで断裁処理をする場合、断裁位置の目印としてトンボが印刷されている。フィニッシャは目印にしたがって断裁処理を行う。
【０００７】
目印のトンボをすべてのページに印字した場合、製本処理など行うと、トンボの位置がずれ、断裁時に残ってしまうという問題がある。そのため、目印としては一番上の用紙にあれば識別できるため、先頭ページのみトンボを印刷するという技術がある。（特許文献１）
【特許文献１】特開２００７−２７２７８０
【発明の開示】
【発明が解決しようとする課題】
【０００８】
しかし、印字されるトンボだけでは、作業者はフィニッシャにどの方向にセットすればよいかわからないという問題がある。実際にはジョブを作成する作業者と印刷物をフィニッシャにセットする作業者は異なることが多い。ジョブを作成する作業者はどのようにフィニッシャにセットすればよいか理解してジョブを作成しているため、印刷物をセットする作業者はジョブ作成者にどの方向にセットすればよいか確認することになり作業効率が落ちてしまう。
【０００９】
本発明は係る課題を解決することを目的とする。
【課題を解決するための手段】
【００１１】
本発明の文書処理システムは、印刷を行う印刷装置と、印刷物に対して後処理を実行する後処理装置とを有する文書処理システムにおいて、前記印刷物を前記後処理装置へ給紙する給紙方向を設定する設定手段と、前記印刷物の先頭用紙のプレビュー画像を生成する生成手段と、前記生成手段により生成されたプレビュー画像を前記設定手段により設定された給紙方向に応じて回転する回転手段と、前記回転手段により回転された前記プレビュー画像を前記後処理装置へ送信する送信手段とを有することを特徴とする文書処理システム。
【００１３】
また、本発明の文書処理方法は、印刷を行う印刷装置と、印刷物に対して後処理を実行する後処理装置とを有する文書処理システムにおける文書処理方法において、前記印刷物を前記後処理装置へ給紙する給紙方向を設定する設定工程と、前記印刷物の先頭用紙のプレビュー画像を生成する生成工程と、前記生成工程により生成されたプレビュー画像を前記設定工程により設定された給紙方向に応じて回転する回転工程と、前記回転工程により回転された前記プレビュー画像を前記後処理装置へ送信する送信工程とを有することを特徴とする。
【発明の効果】
【００１４】
本発明によれば、作業者が後処理装置に印刷物の方向を間違えることなくセットすることが可能となる。
【発明を実施するための最良の形態】
【００１５】
本発明の第１の実施形態である文書処理システムの概要を、図を用いて説明する。この文書処理システムでは、一般アプリケーションにより作成されたデータファイルが電子原稿ライタによって電子原稿ファイルに変換される。製本アプリケーションはその電子原稿ファイルを編集する機能を提供している。尚、それぞれの機能が明確になるように分割して説明しているが、これらを組み合わせた１つのアプリケーションとして提供されてもよい。以下、その詳細を説明する。
【００１６】
〔ソフトウェア構成例〕
図１は、本実施形態の文書処理システムのソフトウェア構成を示す図である。文書処理システムは、本発明の文書処理装置（情報処理装置）の好適な実施形態であるホストコンピュータ１００によって実現されている。一般アプリケーション１０１は、ワードプロセシングやスプレッドシート、ペイント、プレゼンテーション、テキスト編集などの機能を提供するアプリケーションプログラムであり、ＯＳに対する印刷機能を有している。
【００１７】
これらアプリケーションは、作成された文書データや画像データなどのアプリケーションデータを印刷するにあたって、オペレーティングシステム（以下ＯＳと呼ぶ）により提供される所定のインタフェース（一般に、ＧＤＩと呼ばれる）を利用する。これにより、ＯＳの出力モジュールに対して出力コマンド（ＧＤＩ関数と呼ばれる）を送信する。
【００１８】
出力コマンドを受けた出力モジュールは、プリンタ等の出力デバイスが処理可能な形式にそのコマンドを変換し、変換されたコマンド（ＤＤＩ関数と呼ばれる）を出力する。
【００１９】
出力デバイスが処理可能な形式はデバイスの種類やメーカ、機種などによって異なる。そこで、デバイスごとにデバイスドライバが提供されており、ＯＳではそのデバイスドライバを利用してコマンドの変換を行い、印刷データを生成し、ＪＬ（Ｊｏｂ  Ｌａｎｇｕａｇｅ）でくくることにより印刷ジョブが生成される。
【００２０】
電子原稿ライタ１０２は、前述のデバイスドライバを改良したものであり、本文書処理システム実現のために提供されるソフトウェアモジュールである。ただし、電子原稿ライタ１０２は特定の出力デバイスを目的としておらず、後述の製本アプリケーション１０４やプリンタドライバ１０６により処理可能な形式に出力コマンドを変換する。この電子原稿ライタ１０２による変換後の形式（以後、「電子原稿形式」と呼ぶ。）は、ページ単位の原稿を詳細な書式をもって表現可能であれば特に問わない。実質的な標準形式の中では、例えば米国アドビシステムズ社によるＰＤＦ（Ｐｏｒｔａｂｌｅ  Ｄｏｃｕｍｅｎｔ  Ｆｏｒｍａｔ）形式や、Ｗ３Ｃにより公開されているＳＶＧ（Ｓｃａｌａｂｅｌｅ  Ｖｅｃｔｏｒ  Ｇｒａｐｈｉｃｓ）形式などが採用できる。
【００２１】
アプリケーション１０１により電子原稿ライタ１０２を利用させる場合には、出力に使用するデバイスドライバとして電子原稿ライタ１０２を指定してから印刷を実行させる。ただし、電子原稿ライタ１０２によって作成されたままの電子原稿ファイルは、電子原稿ファイルとして完全な形式を備えていない。そのため、デバイスドライバとして電子原稿ライタ１０２を指定するのは製本アプリケーション１０４であり、その管理下でアプリケーションデータの電子原稿ファイルへの変換が実行される。製本アプリケーション１０４は、電子原稿ライタ１０２が生成した新規の不完全な電子原稿ファイルを後述する形式を備えた電子原稿ファイルとして完成させる。
【００２２】
このようにデバイスドライバとして電子原稿ライタ１０２を指定し、一般アプリケーション１０１によりそのデータを印刷させる。これによりアプリケーションデータはアプリケーション１０１によって定義されたページ（以後、「論理ページ」あるいは「原稿ページ」と呼ぶ。）を単位とする電子原稿形式に変換される。そして、電子原稿ファイル１０３としてハードディスクなどの記憶媒体に格納される。なお、ハードディスクは、本実施形態の文書処理システムを実現するコンピュータが備えているローカルドライブまたは外部メモリ２１１であってもよいし、ネットワークに接続されている場合にはネットワーク上に提供されるドライブであっても良い。
【００２３】
製本アプリケーション１０４は、電子原稿ファイル１０３を読み込み、それを編集するための機能を利用者に提供する。ただし製本アプリケーション１０４は、各ページの内容を編集する機能は提供しておらず、ページを最小単位として構成される、後述する章やブックの構造を編集するための機能を提供している。
【００２４】
製本アプリケーション１０４によって編集された電子原稿ファイル１０３を印刷する際には、製本アプリケーション１０４によって電子原稿デスプーラ１０５が起動される。即ち、製本アプリケーション１０４は、印刷データを生成し、実質的に印刷内容を制御する印刷制御手段としても機能する。
【００２５】
電子原稿デスプーラ１０５は、製本アプリケーションで利用するドキュメント（電子原稿ファイル）を印刷する際に、プリンタドライバへ描画データを出力するために使用されるプログラムモジュールである。また、製本アプリケーションと共にコンピュータ内にインストールされる。電子原稿デスプーラ１０５は、指定された電子原稿ファイルをハードディスクから読み出し、電子原稿ファイルに記述された形式で各ページを印刷するために、送信モジュールに適合する出力コマンドを生成し、送信モジュール１０６に出力する。その際に、送信モジュールは電子原稿デスプーラから受け取った出力コマンドをプリンタ１０７とフィニッシャ１０８に送信する。プリンタ１０７では出力コマンドに応じた画像が印刷され、フィニッシャ１０８ではプリンタ１０７で印刷された印刷物が給紙口にセットされると、コマンドに応じたフィニッシング処理が行われる。
【００２６】
〔ハードウェア構成例〕
図２は、本実施形態の文書処理システムのハードウェア構成を示す図である。図２において、ホストコンピュータ１００は、ＲＯＭ２０３内のプログラム用ＲＯＭあるいは外部メモリ２１１に記憶された文書処理プログラム等に基づいて図形、イメージ、文字、表（表計算等を含む）等が混在した文書処理を実行するＣＰＵ２０１を備える。ＣＰＵ２０１はシステムバス２０４に接続される各デバイスを総括的に制御する。
【００２７】
また、このＲＯＭ２０３内のプログラム用ＲＯＭあるいは外部メモリ２１１は、ＣＰＵ２０１の制御プログラムであるオペレーティングシステムプログラム等を記憶する。ＲＯＭ２０３内のフォント用ＲＯＭあるいは外部メモリ２１１は上記文書処理の際に使用するフォントデータ等を記憶する。ＲＯＭ２０３内のデータ用ＲＯＭあるいは外部メモリ２１１には上記文書処理等を行う際に使用する各種データや文書処理アプロケーションとしてのコンピュータプログラムを記憶する。ＲＡＭ２０２は、ＣＰＵ２０１の主メモリ、ワークエリア等として機能する。
【００２８】
キーボードコントローラ（ＫＢＣ）２０５は、キーボード（ＫＢ）２０９や不図示のポインティングデバイスからのキー入力を制御する。ＣＲＴコントローラ（ＣＲＴＣ）２０６は、ＣＲＴディスプレイ（ＣＲＴ）２１０の表示を制御する。２１１は、ハードディスク（ＨＤ）、フロッピー（登録商標）ディスク（ＦＤ）等の外部メモリである。外部メモリ２１１は、ブートプログラム、各種のアプリケーション、フォントデータ、ユーザファイル、編集ファイル、プリンタ制御コマンド生成プログラム（以下プリンタドライバ）等を記憶する。２０７はディスクコントローラ（ＤＫＣ）で、外部メモリ２１１とのアクセスを制御する。ネットワークコントローラ（ＮＣ）２０８は、ネットワーク２１を介してプリンタ１０７、フィニッシャ１０８に接続されて、プリンタ１０７、フィニッシャ１０８との通信制御処理を実行する。
【００２９】
なお、ＣＰＵ２０１は、例えばＲＡＭ２０２上に設定された表示情報ＲＡＭへのアウトラインフォントの展開（ラスタライズ）処理を実行し、ＣＲＴ２１０上でのＷＹＳＩＷＹＧを可能としている。また、ＣＰＵ２０１は、ＣＲＴ２１０上の不図示のマウスカーソル等で指示されたコマンドに基づいて登録された種々のウインドウを開き、種々のデータ処理を実行する。ユーザは印刷を実行する際、印刷の設定に関するウインドウを開き、プリンタの設定や、フィニッシャの設定を行える。
【００３０】
プリンタ１０７は、ＣＰＵ３１２により制御される。ＣＰＵ３１２は、ＲＯＭ３１３内のプログラム用ＲＯＭに記憶された制御プログラム等あるいは外部メモリ３１４に記憶された制御プログラム等に基づいてシステムバス３１５に接続される印刷部（プリンタエンジン）３１７に出力情報としての画像信号を出力する。また、このＲＯＭ３１３内のプログラムＲＯＭは、ＣＰＵ３１２の制御プログラム等を記憶する。ＲＯＭ３１３内のフォント用ＲＯＭは上記出力情報を生成する際に使用するフォントデータ等を記憶する。ＲＯＭ３１３内のデータ用ＲＯＭは、ハードディスク等の外部メモリ３１４がないプリンタの場合には、ホストコンピュータ上で利用される情報等を記憶する。
【００３１】
ＣＰＵ３１２はネットワークＩ／Ｆ３１８を介してホストコンピュータとの通信処理が可能となっており、プリンタ内の情報等をホストコンピュータ１００に通知できる。ＲＡＭ３１９は、ＣＰＵ３１２の主メモリや、ワークエリア等として機能するＲＡＭである。
【００３２】
フィニッシャ１０８は、ＣＰＵ１００１により制御される。ＣＰＵ１００１は、ＲＯＭ１００３内のプログラム用ＲＯＭあるいは外部メモリ１０１１に記憶された制御プログラムに基づいてシステムバス１００４に接続されるフィニッシャ１１０にフィニッシング情報としての信号を出力する。また、このＲＯＭ１００３内のプログラムＲＯＭには、ＣＰＵ１００１の制御プログラム等を記憶する。
【００３３】
ＣＰＵ１００１はネットワークＩ／Ｆ１００５を介してホストコンピュータとの通信処理が可能となっており、ＲＡＭ１００２は、ＣＰＵ１００１の主メモリや、ワークエリア等として機能するＲＡＭである。
【００３４】
〔電子原稿データの形式例〕
編集アプリケーション１０４の詳細を言及する前に、電子原稿ファイルのデータ形式を説明する。
【００３５】
図３は、電子原稿ファイルを、大きくブック構成情報３０１とページデータ３０２とに分類して説明している図である。ページデータ３０２は、電子原稿ファイルに取り込まれた複数ページをプールする領域である。各ページを単位とした構成を保持しているのがブック構成情報３０１である。
【００３６】
図４は、ブック構成情報３０１の詳細を示すデータ構造の例を示す図である。この例では紙媒体の書物を模した３層の層構造を有する。上位層は「ブック」と呼ばれ、１冊の本を模しており、その文書全般に係る属性が定義されている。その下の中間層は、本でいう章に相当し、やはり「章」と呼ばれる。各章についても、章ごとの属性が定義できる。下位層は「ページ」であり、アプリケーションプログラムで定義された各ページに相当する。各ページついてもページごとの属性が定義できる。ひとつのブックは複数の章を含んでいてよく、また、ひとつの章は複数のページを含むことができる。
【００３７】
この例の電子原稿ファイルにおける、ブック、章、ページは、それぞれに相当するノードにより示されている。ひとつの電子原稿ファイルはひとつのブックを含む。ブック、章は、ブックとしての構造を定義するための概念であるから、定義された属性値と下位層へのリンクとをその実体として含む。ページは、アプリケーションプログラムによって出力されたページごとのデータを実体として有する。そのため、ページは、その属性値のほか、原稿ページの実体（原稿ページデータ）と各原稿ページデータへのリンクを含む。尚、紙媒体等に出力する際の印刷ページは複数の原稿ページを含む場合がある。この構造に関してはリンクによって表示されず、ブック、章、ページ各階層における属性として表示される。
【００３８】
まず最上位にブック情報４０１を持つ。ブック情報４０１は４０２〜４０４の３つのパートに大別できる。ブック制御情報４０２は、文書ファイルのファイルシステムにおけるパス名などの情報を保持する。ブック設定情報４０３は、ページレイアウトなどのレイアウト情報とステイプルなど印刷装置の機能設定情報を保持し、ブックの属性に相当する。章情報リスト４０４は、文書を構成している章の集合をリスト形式で保持する。リストが保持するのは章情報４０５である。
【００３９】
章情報４０５も４０６〜４０８の３つのパートに大別できる。章制御情報４０６は、章の名称などの情報を保持する。章設定情報４０７は、その章特有のページレイアウトやステイプルの情報を保持し、章の属性に相当する。章ごとに章設定情報４０７をもつことで最初の章は２ＵＰのレイアウトその他の章は４ＵＰのレイアウトのように複雑なレイアウトを持った文書を作成することが可能である。ページ情報リスト４０８は各章を構成する原稿ページの集合リスト形式で保持している。ページ情報リスト４０８が指示するのは、ページ情報データ４０９である。
【００４０】
ページ情報４０９も４１０〜４１２の３つのパートに大別される。ページ制御情報４１０は、ツリー上に表示するページ番号などの情報を保持する。ページ設定情報４１１は、ページ回転角やページの配置位置情報などの情報を保持し、原稿ページの属性に相当する。ページリンク情報４１２は、ページに対応する原稿データである。この例では、ページ情報４０９が直接原稿データを持つのではなく、リンク情報４１２だけをもち、実際の原稿データは、ページデータリスト４１３で保持する構成としている。
【００４１】
図５は、ブック属性（ブック設定情報４０３）の例を示すリストである。通常、下位層（章やページ）と重複して定義可能な項目に関しては、下位層の属性値が優先採用される。そのため、ブック属性にのみ含まれる項目に関しては、ブック属性に定義された値はブック全体を通して有効な値となる。しかし、下位層と重複する項目については、下位層において定義されていない場合における既定値としての意味を有する。しかし、本実施形態では、後述するように、下位層の属性値を優先するか否かが選択可能となっている。なお、図示された各項目は具体的に１項目に対応するのではなく、関連する複数の項目を含むものもある。
【００４２】
ブック属性は、属性項目、設定値及び備考で構成される。本実施形態において、ブック属性に固有の属性項目は、印刷方法、面付け方法、仕上がりサイズ、とじ方法、とじ代、表紙／裏表紙、インデックス紙、合紙、章の区切り、トンボ・ドブの１０項目である。これらは、ブックを通して定義される項目である。
【００４３】
印刷方法としては、片面印刷、両面印刷、の２つの値を指定できる。
【００４４】
面付け方法には、ペラ、中綴じ、４つ折りの３つの値を指定できる。ペラとは、仕上げの際に用紙を折らないでとじることができる面付け方法である。中綴じとは、別途指定する枚数の用紙を束にして２つ折りにし、その束をつづり合わせることで製本が可能となる形式に適したレイアウトを行う面付け方法である。図示はしていないが、中綴じの場合には、さらに詳細属性として見開き方向や、束になる枚数等が指定できる。４つ折りとは、用紙を縦横それぞれ１回ずつ折って、四つ折の状態で折った袋部分を断裁する事で製本が可能となる形式に適したレイアウトを行う面付け方法である。袋の位置やとじ方向に応じて、右とじ天袋、右とじ左袋などの詳細設定項目がある。
【００４５】
仕上がりサイズは、用紙を断裁して複数のページを作成する際に、用紙を断裁するサイズの指定である。Ａ３ノビサイズに仕上がりサイズＡ４を２つ面付けする形式が代表的な例である。とじ方法は、通常、くるみ（くるみ製本）、中綴じ、４つ折りがある。とじ代は、ブックとしてまとめられる電子原稿ファイルを印刷する際に、とじ代を付加することの指定を含む。とじ代の設定値のシフトやサイズの縮小が可能である。ここで、「くるみ（くるみ製本）」とは、インラインフィニッシャまたは、オフラインフィニッシャによるくるみ製本が可能となるとじ形式である。くるみ製本は、印刷した中紙を綴じ位置に糊付けし、くるみ表紙でくるんで製本し、必要に応じて三方断裁される。「４つ折り」とは、出力用紙を４つ折りにして、束にすると、無線とじ製本が可能となる形式で、印刷ページを面付けする方法である。無線とじ製本は、オフラインフィニッシャにより三方断裁または四方断裁することにより実現される。
【００４６】
表紙／裏表紙は、ブックとしてまとめられる電子原稿ファイルを印刷する際に、表紙及び裏表紙となる用紙を付加することの指定、及び付加した用紙への印刷内容の指定を含む。インデックス紙属性は、章の区切りとして、印刷装置に別途用意される耳付きのインデックス紙の挿入の指定及びインデックス（耳）部分への印刷内容の指定を含む。この属性は、印刷用紙とは別に用意された用紙を所望の位置に挿入するインサート機能を持ったインサータが使用する印刷装置に備えられている場合か、あるいは、複数の給紙カセットを使用可能である場合に有効となる。これは合紙属性についても同様である。
【００４７】
合紙属性は、章の区切りとして、インサータからあるいは給紙カセットから供給される用紙の挿入の指定、及び、合紙を挿入する場合には、給紙元の指定などを含む。
【００４８】
章の区切りは、章の区切り目において、新たな用紙を使用するか、新たな印刷ページを使用するか、特に何もしないか等の指定を含む。片面印刷時には新たな用紙の使用と新たな印刷ページの使用とは同じ意味を持つ。両面印刷時には、「新たな用紙の使用」を指定すれば連続する章が１枚の用紙に印刷されることは無いが、「新たな印刷ページの使用」を指定すれば、連続する章が１枚の用紙の表裏に印刷されることがあり得る。
【００４９】
トンボ・ドブ属性は、電子原稿ファイルを印刷する際に、印刷ページに対しトンボの印刷、及びドブ（裁ち落とし）を指定したい場合に指定するための項目である。ドブ領域（裁ち落とし幅）は、仕上がりページの各辺に付与でき、印刷用紙を断裁するときに、裁ち落とされる幅を表す。トンボマーク（裁ち落とし位置目印）は、オフラインフィニッシャを用いてユーザが裁ち落としを行う際の位置を示す目印である。
【００５０】
図６は、章属性（章設定情報４０７）の、図７はページ属性（ページ設定情報４１１）の例を示すリストである。章属性とページ属性との関係もブック属性と下位層の属性との関係と同様である。
【００５１】
章属性に関しては、章に固有の項目はなく、すべてブック属性と重複する。したがって、通常は、章属性における定義とブック属性における定義とが異なれば、章属性で定義された値が優先する。しかし、本例では、後述するように、下位層の属性値を優先するか否かが選択可能となっている。
【００５２】
図６において、ブック属性と章属性とにのみ共通する項目は、用紙サイズ、用紙方向、Ｎ−ｕｐ印刷指定、拡大縮小、排紙方法（フィニッシング）の５項目である。このうち、用紙サイズは、前述したように、印刷用紙のサイズを示し、くるみ製本や二つ折り製本（上記製本印刷に相当）が選択されていない場合は、章単位に用紙サイズを切り替えることが可能である。用紙方向は、ポートレイト（縦）であるか、ランドスケープ（横）であるかを示す。
【００５３】
Ｎ−ｕｐ印刷指定は、１印刷ページに含まれる原稿ページ数を指定するための項目である。指定可能な配置としては、１×１や１×２、２×２、３×３、４×４などがある。拡大縮小属性でＯＮされている場合には、出力用紙サイズに合わせて、入力される原稿ページを拡大縮小することを示す。排紙方法（フィニッシング）は、排出した用紙にステイプル処理を施すか否かを指定するための項目であり、この属性の有効性は使用する印刷装置がステイプル機能を有するか否かに依存する。
【００５４】
次に図７において、ページ属性に固有の項目には、ページ回転指定、ズーム、ページ分割などがある。ページ回転指定は、原稿ページを印刷ページに配置する際の回転角度を指定するための項目である。ズームは、原稿ページの変倍率を指定するための項目である。変倍率は、仮想論理ページ領域のサイズを１００％として指定される。仮想論理ページ領域とは、原稿ページを、Ｎ−ｕｐ等の指定に応じて配置した場合に、１原稿ページが占める領域である。例えば１×１であれば、仮想論理ページ領域は１印刷ページに相当する領域となり、１×２であれば、１印刷ページの各辺を約７０パーセントに縮小した領域となる。
【００５５】
ブック、章、ページについて共通な属性として、ウォーターマーク及びヘッダ・フッタがある。ウォーターマークとは、アプリケーションで作成されたデータに重ねて印刷される、別途指定される画像や文字列などである。ヘッダ・フッタは、それぞれ各ページの上余白及び下余白に印刷されるウォーターマークである。ただし、ヘッダ・フッタには、ページ番号や日時など、変数により指定可能な項目が用意されている。
【００５６】
なお、ウォーターマーク及びヘッダ・フッタの各属性について指定可能な内容は、章とページとは共通であるが、ブックはそれらと異なっている。ブックにおいてはウォーターマークやヘッダ・フッタの内容を設定できるし、また、ブック全体を通してどのようにウォーターマークやヘッダ・フッタを印刷するかを指定することができる。一方、章やページでは、その章やページにおいて、ブックで設定されたウォーターマークやヘッダ・フッタを印刷するか否かを指定できる。
【００５７】
〔文書処理システムの操作手順例〕
（電子原稿ファイルの生成手順例）
電子原稿ファイルは、上述したような構造及び内容を有している。次に、製本アプリケーション１０４及び電子原稿ライタ１０２によって電子原稿ファイルを作成する手順を説明する。電子原稿ファイルの作成は、製本アプリケーション１０４による電子原稿ファイルの編集操作の一環として実現される。
【００５８】
図８は、製本アプリケーション１０４により電子原稿ファイルを開く際の手順を示すフローチャートである。本フローチャートは、ホストコンピュータ１００のＣＰＵ２０１がＲＯＭ２０３に格納されているプログラムである製本アプリケーション１０４を実行することによって実現される。
【００５９】
まず、開こうとする電子原稿ファイルが、新規作成すべきものであるか、それとも既存のものであるか判定する（ステップＳ８０１）。新規作成の場合には、章を含まない電子原稿ファイルを新規に作成する（ステップＳ８０２）。新規に作成される電子原稿ファイルは、図４の例で示せば、ブック情報４０１のみ有し、章のノードに対するリンクが存在しないブックのノードとなる。ブック属性（ブック設定情報４０３）には、新規作成用としてあらかじめ用意された属性のセットが適用される。そして、新規電子原稿ファイルを編集するためのユーザインタフェース（ＵＩ）画面を表示する（ステップＳ８０４）。
【００６０】
一方、既存の電子原稿ファイルがあれば、指定された電子原稿ファイルを開き（ステップＳ８０３）、その電子原稿ファイルの構造、属性、内容に従ってユーザインタフェース（ＵＩ）画面を表示する。図９は、このＵＩ画面の一例である。ＵＩ画面９００は、ブックの構造を示すツリー部９０１と、印刷された状態を表示するプレビュー部９０２とを含む。ツリー部９０１には、ブックに含まれる章、各章に含まれるページが、図４のような木構造が分かるように表示される。ツリー部９０１に表示されるページは原稿ページである。プレビュー部９０２には、印刷ページの内容が縮小されて表示される。その表示順序は、ブックの構造を反映したものとなっている。新規に電子原稿ファイルが作成された場合は、実質的な内容がないため、ＵＩには何も表示されない。
【００６１】
開かれた電子原稿ファイルには、電子原稿ライタ１０２によって電子原稿ファイルに変換されたアプリケーションデータを、新たな章として追加することができる。この機能を電子原稿インポート機能と呼ぶ。図８の手順によって新規に作成された電子原稿ファイルに電子原稿インポートすることで、その電子原稿ファイルには実体が与えられる。この機能は、図９の画面にアプリケーションデータをドラッグアンドドロップ操作することで起動される。
【００６２】
（電子原稿ファイルの編集例）
以上のようにして、アプリケーションデータから電子原稿ファイルを作成することができる。生成された電子原稿ファイルについては、ページのレイアウト等の編集操作が可能である。
【００６３】
（電子原稿ファイルの出力例）
以上のように作成・編集される電子原稿ファイルは印刷出力を最終目的としている。利用者が図９に示す製本アプリケーション１０４のＵＩ画面９００からファイルメニューを選択し、そこから印刷を選択すると、指定した出力デバイスにより印刷出力される。この際、まず製本アプリケーション１０４は、現在開かれている電子原稿ファイルから印刷データとしてのジョブチケットを作成して電子原稿デスプーラ１０５に渡す。電子原稿デスプーラ１０５は、ジョブチケットをＪＤＦに変換し、ＪＤＦと画像データであるＰＤＦを送信モジュールに送信する。送信モジュールは、プリンタにはＪＤＦとＰＤＦを送信し、フィニッシャにはＪＤＦを送信する。
【００６４】
ここで、上記ジョブチケットは、原稿ページを最小単位とする構造を有するデータである。ジョブチケットにおける構造は、用紙上における原稿ページのレイアウトを定義している。ジョブチケットは１ジョブにつき１つ発行される。そのため、まず最上位にドキュメントというノードがあり、文書全体の属性、例えば両面印刷／片面印刷などが定義されている。その下には、用紙ノードが属し、用いるべき用紙の識別子や、プリンタにおける給紙口の指定などの属性が含まれる。各用紙ノードには、その用紙で印刷されるシートのノードが属する。１シートは１枚の用紙に相当する。各シートには、印刷ページ（物理ページ）が属する。片面印刷ならば１シートには１物理ページが属し、両面印刷ならば１シートに２物理ページが属する。各物理ページには、その上に配置される原稿ページが属する。また物理ページの属性として、原稿ページのレイアウトが含まれる。
【００６５】
ジョブチケットのデータ構造の例を図１２に示す。印刷用のデータでは、文書は用紙の集合で構成されており、各用紙は表、裏の２面で構成されており、各面は原稿をレイアウトする領域（物理ページ）を持ち、各物理ページには、最小単位である原稿ページの集合から構成される。
【００６６】
１２０１は文書に相当するデータで、文書全体に関係するデータと、文書を構成する用紙情報のリストから構成される。用紙情報１２０２は用紙サイズなど用紙に関する情報と用紙上に配置される面情報のリストから構成される。面情報１２０３は、面に固有のデータと、面上に配置される物理ページのリストから構成される。
【００６７】
物理ページ情報１２０４は、物理ページのサイズやヘッダ・フッタなどの情報と、物理ページを構成する原稿ページのリストから構成される。原稿ページ情報１２０５は、原稿ページのヘッダ・フッタなどの情報やカラーデータを含んでいるか、面上のどの位置にどのサイズに拡縮するか等のレイアウト情報を保持する原稿ページ設定部と、ページデータリスト４１３へのリンク情報から構成される。
【００６８】
電子原稿デスプーラ１０５は、上述のジョブチケットを、出力モジュールへの出力コマンドに変換する。
【００６９】
（プレビュー表示の内容例）
すでに説明したとおり、電子原稿ファイルが製本アプリケーションによって開かれると、図９に示すユーザインタフェース画面９００が表示される。ツリー部９０１には、開いているブック（以下、「注目ブック」と呼ぶ。）の構造を示すツリーが表示される。プレビュー部９０２には、利用者の指定に応じて、３通りの表示方法が用意されている。
【００７０】
第１は原稿ページをそのまま表示する原稿ビューと呼ばれるモードである。原稿ビューモードでは、注目ブックに属する原稿ページの内容が縮小されて表示される。プレビュー部の表示にレイアウトは反映されない。第２は印刷ビューモードである。印刷ビューモードでは、プレビュー部９０２には、原稿ページのレイアウトが反映された形で原稿ページが表示される。第３は簡易印刷ビューモードである。簡易印刷ビューモードでは、各原稿ページの内容はプレビュー部の表示には反映されず、レイアウトのみが反映される。
【００７１】
なお、図９の画面は、製本アプリケーション１０４の操作画面としても利用可能である。製本アプリケーション１０４は、文書のページ順の入れ替えや複製、削除などの編集に加え、ステイプルなどの印刷装置の機能設定も行うことができ、指定した印刷装置に印刷することが可能である。
【００７２】
〔属性設定例〕
図１３は、製本アプリケーション１０４の「文書の詳細設定」ウインドウ１３００を示している。
【００７３】
このウインドウでは、「ブック設定情報４０３」を表示／設定することができる。このウインドウは、図９のアプリケーション操作画面にあるＰｒｉｎｔ  Ｆｏｒｍメニューの「文書の詳細設定」メニューから起動される。「文書の詳細設定」ウインドウは、文書全体に影響する属性の設定を行うためのウインドウである。このウインドウは、ページ設定１３０１、装飾１３０２、編集１３０３、給紙設定１３０４の４つのシートから構成される。図１３は、ページ設定シート１３０１が選択された状態を示している。このページ設定シート１３０１では、主にレイアウトに関する設定を行うことができ、用紙サイズや向き、Ｎページ印刷などの設定を指示することができる。
【００７４】
図１４は、製本アプリケーション１０４の「章の詳細設定」ウインドウ１４００を示している。
【００７５】
このウインドウでは、「章設定情報４０７」を表示／設定することができる。このウインドウは、図１０のアプリケーション操作画面にあるＰｒｉｎｔ  Ｆｏｒｍメニュー「章の詳細設定」メニューから起動される。「章の詳細設定」ウインドウ１４００は、章固有の属性の設定を行うためのウインドウである。このウインドウ１４００は、ページ設定１４０３、フィニッシング１４０４、編集１４０５、給紙設定１４０６の４つのシートから構成されている。
【００７６】
図１４は、ページ設定シート１４０３を表示した状態を示している。このページ設定シート１４０３では、主に各章で固有のレイアウトに関する設定を行うことができ、用紙サイズや向き、Ｎページ印刷などの設定を指示することができる。「文書の詳細設定」と「章の詳細設定」で重複する設定項目については「ブック属性に従う」のチェックボックスコントロール１４０１、１４０２を配置している。このチェックボックスにチェックが入っている属性項目については、図１３で設定されたブックの設定値をその章にも適用する。
【００７７】
図１６は、製本アプリケーション１０４の「ページの詳細設定」ウインドウ１６００を示している。
【００７８】
このウインドウ１６００では、「ページ設定情報４１１」を表示／設定することができる。このウインドウは、図９のアプリケーション操作画面にあるＰｒｉｎｔ  Ｆｏｒｍメニュー「ページの詳細設定」メニューから起動される。「ページの詳細設定」ウインドウ１６００は、各ページで固有の属性の設定を行うためのウインドウである。このウインドウ１６００は、ページ設定１６０１、編集１６０２の２つのシートから構成されている。
【００７９】
尚、上記設定画面で設定されたチェックボックスコントロールの情報は、専用の領域に保持されてもよいが、図４に示した章設定情報４０７やページ設定情報４１１内に属性の１つとして保持するのが望ましい。この場合には、図６及び図７にチェックボックスコントロールの情報を保持する領域が追加される。
【００８０】
〔出力例〕
印刷業やＣＲＤ（Ｃｅｎｔｒａｌｉｚｅｄ  Ｒｅｐｒｏｇｒａｐｈｉｃ  Ｄｅｐａｒｔｍｅｎｔ）では、Ａ４原稿をＡ３伸びサイズに２つ並べて印字し、後工程で断裁することで１枚の用紙から複数の頁を得るような出力形態のレイアウトを行う場合がある。単純に同じページデータを複数並べる場合や連続するページを並べる場合など様々なレイアウトを行っている。
【００８１】
このように１枚の用紙に複数ページを面付けする際には、各ページを切り離すために「トンボ」と呼ばれる断裁の目印をあわせて印刷することが多い。図２３は、文書に断裁目印としてのトンボを印字した例を示している。
【００８２】
図２３は、単純にページを並べて配置している場合（ペラ）のトンボ印字の例である。この例では、ページを用紙に２行２列のあわせて４ページ配置している。ページの間には、断裁位置を示すトンボと各ページの中心位置を示すセンタートンボとを印字している。センタートンボは、複数枚のペラ印刷を行う場合に、各印刷用紙の印字位置にズレがないかを作業者が判断するための目印である。なお、断裁位置を示すトンボには、ページ間の断裁位置を示す目印と、ページのコーナーにおける断裁位置を示す目印とが含まれ、コーナートンボとも言う。また、仕上がりサイズと各トンボの間の領域をドブ領域または裁ち落とし幅と呼ぶ。
【００８３】
従来はトンボのみを印刷し、出力された印刷物をフィニッシャにセットしていた。製本アプリケーションでトンボを設定するオペレータはどのようにフィニッシャにセットすべきか把握しているが、実際にプリンタから出力された印刷物をフィニッシャにセットする作業者は製本アプリケーションを操作する人とは異なることが多い。
【００８４】
図２４はフィニッシャの構成の一例を示す図である。正面に対して右側に給紙口があり、左側に排紙トレイがある構成となっている。給紙口に用紙をセットする場合、給紙口に向ける方向は４方向が考えられる。
【００８５】
しかし、フィニッシャに印刷物をセットする作業者は印刷されているトンボのみではどの方向にフィニッシャへセットすればよいかわからないため、間違った方向にセットしてしまう可能性がある。またはそのたびに製本アプリケーションを操作した作業者に確認等をする必要があり、作業が煩雑になり作業効率が落ちてしまうという問題があった。
【００８６】
本発明では、印刷物をフィニッシャにセットする給紙方向を表す目印として矢印を印字し、作業者がセットする方向を間違えないようにする。
【００８７】
図１７は、本実施形態に対応する矢印の設定を行うためのＧＵＩの一例を示す図である。
【００８８】
ＧＵＩにおいて、ユーザに用紙の給紙方向が選択されるとその辺に矢印が印字される。
【００８９】
しかし、給紙の辺にドブが無い場合は給紙辺に印刷することができない。その場合は、他の辺にドブがあれば、そのドブに矢印を印刷する。
【００９０】
一方で給紙の方向は、原稿情報からある程度予測することが可能である。たとえばとじ方向が設定されていればその方向にセットしてステイプルをすることが予想される。また、Ａ３の用紙であれば、Ａ３サイズの長辺方向をセットできるフィニッシャは多くないため、短辺方向のセットである可能性が高い。
【００９１】
そのため、原稿、用紙情報からセット方向を判別し、設定のＧＵＩ表示時に初期値として指定する。
【００９２】
以下、本実施形態に対応する処理について説明する。
【００９３】
まず、矢印の設定を行うＧＵＩを表示する際の処理について説明する。図１５は製本アプリケーション１０４において、実行される矢印設定ＧＵＩを表示する処理の一例を示すフローチャートである。本フローチャートは、ホストコンピュータ１００のＣＰＵ２０１がＲＯＭ２０３に格納されているプログラムである製本アプリケーション１０４を実行することによって実現される。表示時に原稿情報から給紙方向を予測し、その予測結果を初期値として設定ダイアログを提示する。
【００９４】
ステップＳ１５０１では、原稿情報を取得する。ステップＳ１５０２では、原稿情報から給紙方向が設定されているかどうかを判別し、設定されている場合は、ステップＳ１５０７に進み、設定されていない場合は、Ｓ１５０３に進む。ステップＳ１５０３では、給紙方向テーブルを取得する。図１０は、給紙方向テーブルの例である。テーブルの番号は図１１にあるような原稿に対する辺を示している。ステップＳ１５０４では、テーブルに一致する項目があるかどうかを判別する。例えば、用紙がＡ３である場合は、Ａ３用紙の長辺を給紙してフィニッシングするフィニッシャはあまりない。よって短辺給紙を給紙方向と予測している。一致する項目がある場合はステップＳ１５０５に進み、一致しない場合は、ステップＳ１５０６に進む。ステップＳ１５０５では、一致した方向を初期値に設定しステップＳ１５０８に進む。ステップＳ１５０６では、一致しなかったため、デフォルトの給紙方向に初期値を設定し、ステップＳ１５０８に進む。ステップＳ１５０７ではすでに設定されている方向を初期値として設定してステップＳ１５０８に進む。ステップＳ１５０８では設定されている初期値を用いて設定ダイアログを表示する。設定ダイアログでＯＫボタンが押されると、ブック属性としてブック設定情報４０３に給紙方向が記録される。フィニッシャはある点を基準に処理を行うため、給紙方向に対して基準となる原点をブック設定情報４０３に記録する。例えば、原点は給紙辺の用紙右端を原点として記録する。原点の位置は印刷時に電子原稿デスプーラによってＪＤＦに変換され、送信モジュールでフィニッシャ１０８に送信される。
【００９５】
次に、本実施形態に対応する矢印の印字位置決定処理について説明する。図１８は製本アプリケーションにおいて、実行される矢印印字位置決定処理の一例を示すフローチャートである。本フローチャートは、ホストコンピュータ１００のＣＰＵ２０１がＲＯＭ２０３に格納されているプログラムである製本アプリケーション１０４を実行することによって実現される。ステップＳ１８０１からＳ１８０９まですべてのページに対して繰り返している。
【００９６】
まずステップＳ１８０２で、製本アプリケーション１０４は、原稿データを取得し、各ページの面付け処理を行う。「ペラ面付け」が選択されている場合、ブック属性から面付け数を取得し、取得された面付け数に従って用紙サイズの領域を分割し、分割された各領域内にブック属性で指定されている仕上がりサイズの領域を確保し、各領域に同一ページの原稿を連続して配置する。また、面付け方法として「中綴じ」が選択されている場合には、用紙サイズの片面に２面分の原稿データが配置される。各面の原稿データのサイズは、仕上がりサイズにあわせられ、綴じ位置の辺側にはドブ領域がつかずに、隣り合わせの原稿が配置される。また、面付け方法として「４つ折り」が選択されている場合には、用紙サイズの片面に４面分の原稿データが配置される。ページ順は、前述したように、４つ折りした際のページ順が続くように各原稿ページの位置と向きが決定される。各面の原稿データのサイズは、仕上がりサイズに合わせら、必要に応じてミーリング幅が確保される。この処理により、印刷対象ページの各用紙への割り当てが行われる。なお、ステップＳ１８０２で、各原稿ページの配置位置を仮決定しておき、以下に説明する矢印の位置を決定後に、デスプーラ１０５により物理ページ単位に必要な各原稿ページの描画データと矢印の描画データが生成されることが望ましい。
【００９７】
ステップＳ１８０３ではブック設定情報４０３から給紙方向を取得し、ステップＳ１８０４に進む。ステップＳ１８０４では、給紙の方向にドブがあるかどうかを判別し、ドブがある場合はステップＳ１８０５に進み、無い場合はステップＳ１８０６に進む。ステップＳ１８０５では給紙辺に矢印を印字し、ステップＳ１８０９に進む。図２２は給紙辺に矢印が印字されたときのプレビューである。ステップＳ１８０６では給紙辺以外の辺にドブがあるかどうかを判別し、ドブが無い場合は、ステップＳ１８０９に進み、そうでない場合はステップＳ１８０７に進む。ステップＳ１８０７では他の辺の中で一番幅が大きいものを選択し、ステップＳ１８０８に進む。ステップＳ１８０８では選択した辺のドブに矢印を印字し、ステップＳ１８０９に進む。
【００９８】
このように本実施形態によれば、矢印を印字することでフィニッシャに給紙する際のミスを軽減することが可能である。さらに給紙方向を予測することでユーザの負担が軽減することが可能である。
【００９９】
（第２の実施例）
フィニッシャによってはある位置に印字されたジョブＩＤを認識してフィニッシング処理を行う機種もある。そのようなフィニッシャは給紙口にジョブＩＤを読み取るための装置を備えており、用紙に印刷されているジョブＩＤを認識して後処理を行う。そのため、フィニッシャによっては矢印の代わりにジョブＩＤを印字してもよい。ジョブＩＤを印字する位置はフィニッシャによってジョブＩＤを認識できる領域が決まっているため、給紙口に対する特定の位置にジョブＩＤを印字する。ＵＩにおいてジョブＩＤを印刷するとの選択がされた場合、ジョブＩＤを印刷する。ジョブＩＤは製本アプリケーションの不図示の設定画面より入力されている。
【０１００】
本実施形態に対応するジョブＩＤの印字位置決定処理について説明する。図１９は製本アプリケーションにおいて、実行されるジョブＩＤ印字位置決定処理の一例を示すフローチャートである。本フローチャートは、ホストコンピュータ１００のＣＰＵ２０１がＲＯＭ２０３に格納されているプログラムである製本アプリケーション１０４を実行することによって実現される。本実施例では、給紙辺に対して右辺に印字されるジョブＩＤをフィニッシャが認識するとの前提で記述しているが、別の辺の領域に印字されたジョブＩＤを認識するフィニッシャもあるため、ジョブＩＤを印字する領域は給紙辺に限定されることではない。給紙辺以外にジョブＩＤを印字できるようにするため、ジョブＩＤの印字位置を変更できるようにしても良い。ステップＳ１９０１からＳ１９０６まですべてのページに対して繰り返している。ステップＳ１９０２で原稿データを取得し面付け処理を行う。ステップＳ１９０３ではブック設定情報４０３から給紙方向を取得し、ステップＳ１９０４に進む。ステップＳ１９０４では給紙辺の右辺（ジョブＩＤ印字辺）にドブがあるかどうかを判別し、ドブがない場合はステップＳ１９０６に進む。ドブがある場合はステップＳ１９０５に進む。ステップＳ１９０５では給紙辺の右辺のドブにジョブＩＤを印字し、ステップＳ１９０６に進む。図２２はジョブＩＤが印字されたときのプレビューである。また本実施例ではジョブＩＤを数字で印字しているが、フィニッシャの読み取りを容易にするため、バーコード等に変換して印字しても良い。
【０１０１】
これにより、フィニッシャに対してジョブＩＤを読める位置は決まっているため、ジョブＩＤを読ませるように印刷物をセットすることで給紙方向を間違えることを減少させることが可能である。
【０１０２】
（第３の実施例）
フィニッシャによっては、接続されているコンソールのＧＵＩに印刷物のプレビュー画像を表示することが可能なものがある。図２５はフィニッシャにＧＵＩを持つコンソールが接続された構成の一例を示す図である。コンソールの画面にはフィニッシャを上からみたビューが表示されており、その給紙口にどのように印刷物をセットすればよいか画像のプレビューで表示される。図２５では、印刷物の短辺を給紙口に向けてセットすればよいということがプレビュー画面から確認することが可能である。
【０１０３】
フィニッシャはコンソールからジョブの内容を受け取り、処理を行う。このようなフィニッシャに対しては、矢印やジョブＩＤを印字するのではなく、プレビュー画像を生成し、フィニッシング情報とともにフィニッシャに送信する。作業者はプレビュー画像をコンソールで見ることでセットする方向を確認することが可能である。このとき、フィニッシャの給紙口が前面からや横からなどあるため、原稿データのプレビューをそのまま送信すると間違った方向を指示することになりかねない。そのため、フィニッシャに対して正対したときにどのように用紙が見えるかを考慮して画像を回転させる必要がある。
【０１０４】
図１７は、本実施形態に対応する矢印の設定を行うためのＧＵＩの一例を示す図である。
【０１０５】
ＧＵＩにおいて、「先頭ページのイメージをフィニッシャに送信する」が選択されると、画像が生成される。
【０１０６】
以下、本実施形態に対応する処理について説明する。図２０は製本アプリケーションにおいて、実行される画像データ生成処理の一例を示すフローチャートである。本フローチャートは、ホストコンピュータ１００のＣＰＵ２０１がＲＯＭ２０３に格納されているプログラムである製本アプリケーション１０４を実行することによって実現される。ＧＵＩにおいてＯＫが押下されると、処理が行われる。ステップＳ２００１では、原稿データを取得し、面付け処理を行う。ステップＳ２００２ではブック設定情報４０３から給紙方向を取得し、ステップＳ２００３に進む。ステップＳ２００３では、先頭用紙のプレビュー画像を生成し、ステップＳ２００４に進む。ステップＳ２００４では、Ｓ２００３で生成した画像をデフォルト方向に画像を回転する。デフォルト方向は予め設定されており、たとえば給紙辺が左になるように回転を行う。ステップＳ２００５では、回転した画像を図２１のように表示する。ユーザによりＯＫが押下されれば処理は終了する。そうでない場合は、ステップＳ２００７に進む。ユーザから回転ボタン２１０１が押下されると、指示にしたがって画像を回転させステップＳ２００５に戻る。
【０１０７】
生成された画像データはジョブチケットと同様に送信モジュールに渡され、ＪＤＦに含めてフィニッシャに送信される。
【０１０８】
これによって、フィニッシャのＧＵＩを見て印刷物の給紙方向を確認することが可能となる。
【０１０９】
以上の実施例では、矢印の印字、ジョブＩＤの印字、プレビュー画像のフィニッシャへの送信は別の実施例として説明したが、もちろん、すべてを同時に行ってもよい。
【図面の簡単な説明】
【０１１０】
【図１】本発明の実施形態に対応する文書処理システムのソフトウェア構成の一例を示すブロック図である。
【図２】本発明の実施形態に対応する文書処理システムのハードウェア構成の一例を示すブロック図である。
【図３】本発明の実施形態に対応する電子原稿ファイルの構造の一例を示す概略図である。
【図４】本発明の実施形態に対応するブック構成情報３０１の構造の一例を示す図である。
【図５】本発明の実施形態に対応するブック設定情報の一例を示す図である
【図６】本発明の実施形態に対応する章設定情報の一例を示す図である。
【図７】本発明の実施形態に対応するページ設定情報の一例を示す図である。
【図８】本発明の実施形態に対応する電子原稿ファイルを開く手順の一例を示すフローチャートである。
【図９】本発明の実施形態に対応する既存の電子原稿ファイルを開いた際のユーザインタフェース画面の一例を示す図である。
【図１０】本発明の実施形態に対応する給紙辺の予測テーブルの一例を示す図である。
【図１１】図１０で表している用紙の辺の番号と原稿の向きの対応を示す図である。
【図１２】本発明の実施形態に対応するジョブチケットのデータ構造の例を示す図である。
【図１３】本発明の実施形態に対応する製本アプリケーション１０４の「文書の詳細設定」ウインドウ１３００を示す図である。
【図１４】本発明の実施形態に対応する製本アプリケーション１０４の「章の詳細設定」ウインドウ１４００を示す図である。
【図１５】本発明の実施形態に対応する製本アプリケーション１０４の「給紙方向設定」ウインドウ表示時に行われる初期値決定処理の一例を示すフローチャートである。
【図１６】本発明の実施形態に対応する製本アプリケーション１０４の「ページの詳細設定」ウインドウ１６００を示図である。
【図１７】本発明の実施形態に対応する製本アプリケーション１０４の「給紙方向設定」ウインドウの例を示す図である。
【図１８】本発明の実施形態に対応する矢印印字位置決定処理の一例を示すフローチャートである。
【図１９】本発明の実施形態に対応するジョブＩＤ印字位置決定処理の一例を示すフローチャートである。
【図２０】本発明の実施形態に対応するフィニッシャへ送信するプレビュー画像生成処理の一例を示すフローチャートである。
【図２１】本発明の実施形態に対応するフィニッシャへ送信するプレビュー画像をユーザに提示するＧＵＩの一例である。
【図２２】本発明の実施形態に対応する給紙方向の目印が印字された結果をプレビューするＧＵＩの一例である。
【図２３】トンボを印字した例を示す図である。
【図２４】本発明の実施形態に関連するフィニッシャの構成の一例を示す図である。
【図２５】本発明の実施形態に関連する、画像プレビューが行えるフィニッシャの構成の一例を示す図である。
【符号の説明】
【０１１１】
１００  ホストコンピュータ
１０１  一般アプリケーション
１０２  電子原稿ライタ
１０３  電子原稿ファイル
１０４  製本アプリケーション
１０５  電子原稿デスプーラ
１０６  送信モジュール
１０７  プリンタ
１０８  フィニッシャ
２０１  ＣＰＵ
２０２  ＲＡＭ
２０３  ＲＯＭ
２０４  システムバス
２０５  キーボードコントローラ
２０６  ＣＲＴコントローラ
２０７  ディスクコントローラ
２０８  ネットワークコントローラ
２０９  キーボード
２１０  ＣＲＴ
２１１  外部メモリ
３１７  印刷部
１１０  フィニッシング部
【図１】
0005173595.tif 000002
【図２】
0005173595.tif 000003
【図３】
0005173595.tif 000004
【図４】
0005173595.tif 000005
【図５】
0005173595.tif 000006
【図６】
0005173595.tif 000007
【図７】
0005173595.tif 000008
【図８】
0005173595.tif 000009
【図９】
0005173595.tif 000010
【図１０】
0005173595.tif 000011
【図１１】
0005173595.tif 000012
【図１２】
0005173595.tif 000013
【図１３】
0005173595.tif 000014
【図１４】
0005173595.tif 000015
【図１５】
0005173595.tif 000016
【図１６】
0005173595.tif 000017
【図１７】
0005173595.tif 000018
【図１８】
0005173595.tif 000019
【図１９】
0005173595.tif 000020
【図２０】
0005173595.tif 000021
【図２１】
0005173595.tif 000022
【図２２】
0005173595.tif 000023
【図２３】
0005173595.tif 000024
【図２４】
0005173595.tif 000025
【図２５】
0005173595.tif 000026